(57)【要約】      （修正有）【課題】溝を用いて基板を固定できて構造が簡単であり、ビスを用いずに筐体に基板を強固に取付固定でき、ビスを抹消できてコストダウンを図れ、基板を簡単な作業で取付固定できて生産性を向上できる基板の取付固定構造を提供する。【解決手段】筐体１が合成樹脂で形成され、筐体１に左右一対の幅広のボス２が一体に立設され、ボス２の基板取付箇所に互いに対向する溝３が穿設され、溝３の下側は平面とされ、上側は各々２箇所の突出係止爪４に形成され、突出係止爪４の内側は上部から下部に向けて傾斜面４ａとされ、ボス２の溝３と外面との間に空洞部５が形成され、基板６を傾斜面４ａに沿って押し込んだ際に突出係止爪４が外側に若干開き、基板６が溝内に入り込んだ際に突出係止爪４が内向きに復帰して、基板６が左右一対のボス２の溝３内に取付固定される。【選択図】図１
0003112840.tif 000002
【実用新案登録請求の範囲】
【請求項１】
筐体に基板を取付固定するようにした基板の取付固定構造において、前記筐体が合成樹脂で形成され、この筐体に左右一対の幅広のボスが一体に立設され、これらボスの基板取付箇所に互いに対向する溝が穿設されており、これらの溝の下側は平面とされ、上側は各々２箇所の突出係止爪に形成され、これらの突出係止爪の内側は上部から下部に向けて傾斜面とされていて、これらのボスの前記溝と外面との間に空洞部が形成され、前記基板を前記傾斜面に沿って上側から押し込んだ際に前記突出係止爪が外側に若干開き、前記基板が前記溝内に入り込んだ際に、前記突出係止爪が内向きに復帰して、前記基板が前記左右一対のボスの溝内に取付固定されるようにしたことを特徴とする基板の取付固定構造。
【請求項２】
筐体に基板を取付固定するようにした基板の取付固定構造において、前記筐体に左右一対の幅広のボスが立設され、これらボスの基板取付箇所に互いに対向する溝が穿設されており、これらの溝の下側は平面とされ、上側はその合計が少なくとも３箇所の突出係止爪に形成され、これらの突出係止爪の内側は上部から下部に向けて傾斜面とされていて、前記基板を前記傾斜面に沿って上側から押し込んで前記左右一対の溝内に取付固定されるようにしたことを特徴とする基板の取付固定構造。
【請求項３】
前記左右一対のボスの上端面に第２の基板が取付固定されるようにした請求項２に記載の基板の取付固定構造。
【考案の詳細な説明】
【技術分野】
【０００１】
本考案は、筐体に基板を取付固定するようにした基板の取付固定構造に関するものである。
【背景技術】
【０００２】
従来、筐体に基板を取付固定するには、複数本のビスを用いていた。ところが、複数本のビスを用いているためにコスト高になり、また、ビスで取り付けるのに手間がかかり作業性が悪く生産性が良くないという問題があった。
【０００３】
第１の従来技術を図３に示す。この従来の基板の固定構造は、図３に示すように、一方側をシャーシ１０１に設けられた係入固定部１１１、１１２に係入固定した複数の基板１０２Ａ、１０２Ｂの他方側をフック部材１０３の複数の係止爪１３１、１３２で係入して、シャーシ１０１上に取外し可能に係止固定するようにした基板の固定構造であって、フック部材１０３の複数箇所の係止爪１３１、１３２で隣接する複数の基板１０２Ａ、１０２Ｂを係止固定するように構成している。（例えば、特許文献１参照）。
【０００４】
ところが、これにおいては、フック部材１０３の係止爪１３１、１３２で基板１０２Ａ、１０２Ｂを係止固定するもので、溝を用いて基板を固定するものではなかった。
【０００５】
第２の従来技術を図４（ａ）（ｂ）に示す。この従来のプリント基板取付装置は、図４（ａ）（ｂ）に示すように、プリント基板２０４の一方の縁部をリブ２０２、２０３よりなる嵌合部により回動可能に嵌合し、他方の縁部をフック部２０５により係合する。このフック部２０５のリブ２０６が後からシャシ２０１に取り付けられたカバー２０７に当たってプリント基板２０４が外れる方向へのフック部２０５の撓みを阻止する。シャシ２０１にはプリント基板２０４における他方の縁部近傍の孔２０８に嵌合され得る嵌合され得る嵌合凸部２０９を有する位置決めボス２１１を設けるようにしている。（例えば、特許文献２参照）。
【０００６】
ところが、これにおいては、フック部２０５でプリント基板２０４を係合固定するものであって、溝を用いて基板を取付固定するものではなかった。また、構造が複雑であるという問題があった。
【０００７】
第３の従来技術を図５、図６に示す。この従来の電子回路基板の固定部材は、図５、図６に示すように、電子回路基板３２２の収容ケース３１０に形成された弾性変形可能な足部３０１ａと、足部３０１ａに連続し、かつ基板３２２の方向に突出する突起部３０１ｂを備えると共に、突起部３０１ｂを基板３２２に係合させることによって基板３２２を所定の載置面３２４ａに固定する基板固定用爪部３０１において、基板３２２を載置面３２４ａに固定したとき、突起部３０１ｂの基板３２２に接する基板接触面３０１ｂ１と基板３２２が所定の角度をなすように構成している。（例えば、特許文献３参照）。
【０００８】
ところが、これにおいては、電子回路基板３２２を基板固定用爪部３０１で係合固定するものであって、溝を用いて固定するものではなかった。
【特許文献１】特開２００１−１１９１７０号公報
【特許文献２】実開平７−３６４９１号公報
【特許文献３】特開２００３−２２９６８２号公報
【考案の開示】
【考案が解決しようとする課題】
【０００９】
本考案は、上記従来の問題に鑑みてなされたものであって、溝を用いて基板を固定することができて構造が簡単であり、ビスを用いることなく筐体に基板を強固に取付固定することができ、ビスを抹消することができてコストダウンを図れると共に、基板を簡単な作業で取付固定できて生産性を向上することができる基板の取付固定構造を提供することを目的としている。
【課題を解決するための手段】
【００１０】
本考案は、上記課題を解決するために提案されたものであって、請求項１に記載の考案は、筐体に基板を取付固定するようにした基板の取付固定構造において、前記筐体が合成樹脂で形成され、この筐体に左右一対の幅広のボスが一体に立設され、これらボスの基板取付箇所に互いに対向する溝が穿設されており、これらの溝の下側は平面とされ、上側は各々２箇所の突出係止爪に形成され、これらの突出係止爪の内側は上部から下部に向けて傾斜面とされていて、これらのボスの前記溝と外面との間に空洞部が形成され、前記基板を前記傾斜面に沿って上側から押し込んだ際に前記突出係止爪が外側に若干開き、前記基板が前記溝内に入り込んだ際に、前記突出係止爪が内向きに復帰して、前記基板が前記左右一対のボスの溝内に取付固定されるようにしたことを特徴としている。
【００１１】
請求項２に記載の考案は、筐体に基板を取付固定するようにした基板の取付固定構造において、前記筐体に左右一対の幅広のボスが立設され、これらボスの基板取付箇所に互いに対向する溝が穿設されており、これらの溝の下側は平面とされ、上側はその合計が少なくとも３箇所の突出係止爪に形成され、これらの突出係止爪の内側は上部から下部に向けて傾斜面とされていて、前記基板を前記傾斜面に沿って上側から押し込んで前記左右一対の溝内に取付固定されるようにしたことを特徴としている。
【００１２】
請求項３に記載の考案は、請求項２の考案において、前記左右一対のボスの上端面に第２の基板が取付固定されるようにした。
【考案の効果】
【００１３】
請求項１に記載の考案によれば、筐体に設けられた左右一対の幅広のボスの溝に基板を押し入れて基板を取付固定することができる。溝の上側は各々２個の突出係止爪に形成されているから、この突出係止爪で基板を強固に取付固定することができる。また、ボスが合成樹脂で形成されており、ボスに空洞部が形成されているから、突出係止爪の傾斜面から基板を押し入れた際に突出係止爪を外側に開くことができ、基板が溝内に入り込んだ際に突出係止爪が内側に復帰して基板を溝内に簡単且つ強固に取付固定することができる。更に、溝の下側の平面上に基板を載置した状態で取付固定できるから、基板を安定した状態で取付固定することができる。また、ビスを用いることなく基板を筐体に取付固定できるから、ビスを抹消することができてコストダウンを図ることができると共に、その構造を簡単化することができる。しかも、基板を押し入れるだけで取付固定できるから、その取付作業を簡単に行うことができ、生産性を向上することができる。
【００１４】
請求項２に記載の考案によれば、基板を突出係止爪の傾斜面に沿って押し込むことによって取付固定することができるので、その取付固定作業が簡単で生産性を向上することができる。溝内に入れ込まれた基板が突出係止爪で係止されるので、基板を強固に取付固定することができる。また、基板は溝の下側の平面に載置された状態で取り付けられるので、この基板を安定した状態で保持することができる。しかも、ビスを用いることなく基板を筐体に取付固定できるから、ビスを抹消することができてコストダウンを図ることができると共に、その構造を簡単化することができる。
【００１５】
請求項３に記載の発明によれば、左右一対のボスの上端面に第２の基板を取付固定できるので、同一筐体に上下２つの基板を取付固定することができる。
【考案を実施するための最良の形態】
【００１６】
以下、本考案に係る基板の取付固定構造の実施形態について、図を参照しつつ説明する。
【００１７】
図１は本発明の基板の取付構造の第１実施形態を示し、（ａ）は基板を取付固定した状態の正面縦断面図、（ｂ）は基板を取付固定した状態の部分平面図である。
【００１８】
この第１実施形態の基板の取付固定構造は、図１（ａ）（ｂ）に示すように、合成樹脂で形成された筐体１に左右一対の幅広のボス２、２が一体に立設され、これらのボス２，２の基板取付位置に互いに対向する溝３、３が穿設されている。溝３、３の下側は平面に形成され、上側は各々２箇所の突出係止爪４、４に形成されていて、これらの突出係止爪４、４の内側は上部から下側に向けて傾斜された傾斜面４ａ、４ａに形成さている。ボス２、２の溝３、３と外面との間に各々２箇所の空洞部５が形成されている。
【００１９】
基板６を左右の突出係止爪４、４の間の上側から押し込むと、突出係止爪４、４の傾斜面４ａ、４ａに基板６が当接して、突出係止爪４、４が外側に若干開き、基板６が左右一対のボス２、２の溝３、３に入り込む。このとき、突出係止爪４、４は内側に復帰して基板６が係止され、ボス２、２の溝３、３内に取付固定される。
【００２０】
従って、この第１実施形態によれば、筐体１に設けられた左右一対の幅広のボス２、２の溝３、３に基板６を押し入れると、溝３、３の上側は各々２個の突出係止爪４、４に形成されているから、これらの突出係止爪４、４で基板６を強固に取付固定することができる。また、ボス２、２が合成樹脂で形成されており、ボス２、２に空洞部５が形成されているから、突出係止爪４、４の傾斜面４ａ、４ａから基板６を押し入れた際に突出係止爪４、４が外側に開かれ、基板６が溝３、３内に入り込んだ際に突出係止爪４、４が内側に復帰して基板６を溝３、３内に簡単且つ強固に取付固定することができる。更に、溝３、３の下側の平面上に基板６を載置した状態で取付固定できるから、基板６を安定した状態で取付固定することができる。また、ビスを用いることなく基板６を筐体１に取付固定できるから、ビスを抹消することができてコストダウンを図ることができると共に、その構造を簡単化することができる。しかも、基板６を押し入れるだけで取付固定できるから、その取付作業を簡単に行うことができ、生産性を向上することができる。
【００２１】
図２は第２実施形態の基板の取付固定構造を示す正面縦断面図である。尚、上記した第１実施形態と同一部材、同一箇所には同一符号を付して、その説明を省略する。
【００２２】
この第２実施形態の基板の取付固定構造は、図２に示すように、左右一対のボス２、２の溝３、３内に基板６を取付固定した状態で、これらのボス２、２の上端面２ａ、２ａに第２の基板６Ａをビス７で取付固定している。
【００２３】
この第２の実施形態によれば、この第２実施形態によれば、左右一対のボス２、２の上端面２ａ、２ａに第２の基板６Ａを取付固定できるので、同一筐体に上下２つの基板６、６Ａを取付固定することができる。
【図面の簡単な説明】
【００２４】
【図１】本発明の基板の取付構造の第１実施形態を示し、（ａ）は基板を取付固定した状態の正面縦断面図、（ｂ）は基板を取付固定した状態の部分平面図である。
【図２】第２実施形態の基板の取付固定構造を示す正面縦断面図である。
【図３】従来の基板の固定構造を示す縦断面図である。
【図４】従来のプリント基板取付装置を示し、（ａ）は基板を取り付けた状態を示す縦断面図、（ｂ）は基板を取り付ける途中の状態を示す縦断面図である。
【図５】従来の電子回路基板の固定部材を示す縦断面図である。
【図６】同固定部材を用いて基板を取り付けた状態を示す縦断面図である。
【符号の説明】
【００２５】
１          筐体
２          ボス
２ａ        上端面
３          溝
４          突出係止爪
４ａ        傾斜面
５          空洞部
６          基板
６Ａ        第２の基板
７          ビス
【図１】
0003112840.tif 000003
【図２】
0003112840.tif 000004
【図３】
0003112840.tif 000005
【図４】
0003112840.tif 000006
【図５】
0003112840.tif 000007
【図６】
0003112840.tif 000008